(57)【要約】【課題】例えば商品管理番号に固有情報を含めることなどを容易に行える記憶媒体の固有情報の表示方法、記憶媒体及び記憶媒体のパッケージを提供する。【解決手段】ライトワンス・メモリ１１に予め記憶されている固有情報１１を、外部から視覚を通じて判読可能なようにライトワンス・メモリ１０に表示するので、メーカーより出荷されたライトワンス・メモリ１０に表示された固有情報１１を見た販売店では、例えばかかる固有情報１１を含めるように商品管理番号を設定することで、盗難防止などに役立つ。【選択図】　　図１
2004126423.tif 000002
【特許請求の範囲】
【請求項１】
提供されたユーザーが任意の情報を書き込み可能となっている記憶媒体の固有情報の表示方法であって、
前記記憶媒体内に予め記憶されている固有情報を、外部から視覚を通じて判読可能なように前記記憶媒体に表示することを特徴とする記憶媒体の固有情報の表示方法。
【請求項２】
提供されたユーザーが任意の情報を書き込み可能となっている記憶媒体の固有情報の表示方法であって、
前記記憶媒体内に予め記憶されている固有情報を、外部から視覚を通じて判読可能なように前記記憶媒体を収容するパッケージに表示することを特徴とする記憶媒体の固有情報の表示方法。
【請求項３】
前記固有の情報は、印刷により表示されることを特徴とする請求項１又は２に記載の記憶媒体の固有情報の表示方法。
【請求項４】
請求項１又は３に記載の記憶媒体の固有情報の表示方法により、前記固有情報が表示されたことを特徴とする記憶媒体。
【請求項５】
請求項２又は３に記載の記憶媒体の固有情報の表示方法により、前記固有情報が表示されたことを特徴とする記憶媒体のパッケージ。
【発明の詳細な説明】
【０００１】
【発明の属する技術分野】
本発明は、記憶媒体の固有情報の表示方法、記憶媒体及び記憶媒体のパッケージに関する。
【０００２】
【従来の技術】
電子技術の向上に伴い、撮像（撮影ともいう）した画像をデジタルデータに変換して記憶する電子カメラが開発され、既に市販されている。ユーザーは、電子カメラにより撮像した画像を、たとえば自分のパソコンのディスプレイに表示でき、またプリンタを介してプリントできるため、その応用範囲は広いものとなっている。
【０００３】
かかる電子カメラは、メモリカードなどの記憶媒体を装着可能となっており、装着されたメモリカードには、その記憶容量分だけ、撮影によって取得した画像情報を記憶できるようになっている。又、メモリカードの記憶残量が少なくなった場合には、不要な画像情報を消去することで、新たな画像情報を記憶できるようになっている。しかるに、メモリーカードは画像情報の記憶と消去を任意に行えるものであるから、電子カメラには非常に有効なものだが、一般的には高価であるという問題がある。
【０００４】
これに対し、近年、ライトワンスと呼ばれるメモリが開発されるに至った。ライトワンス・メモリは、１度だけ画像情報を記憶でき、且つ何回でも読み出し可能であるが、上書きが不能なメモリであり、その構成上、比較的安価である。従って、ライトワンス・メモリを電子カメラの記憶手段として用いることができれば、ユーザーの負担が減少するので好ましい。ライトワンス・メモリに関しては、以下のＵＲＬのホームページに詳細に記載されている。
【非特許文献１】
ＵＲＬ　ｈｔｔｐ：／／ｗｗｗ．ｍａｔｒｉｘｓｅｍｉ．ｃｏｍ／
【０００５】
【発明が課題を解決しようとする課題】
ところで、販売店などで、ライトワンス・メモリを大量に販売する場合、従来のメモリカードと同様に、ライトワンス・メモリをパッケージなどに封入（収容）して、商品管理番号や値札などを付した状態で販売することが考えられる。
【０００６】
更に、販売店などでいわゆるＰＯＳシステムが導入されている。ＰＯＳシステムは、例えば商品個々にバーコードなどを付して、商品搬入時にバーコードリーダでそのバーコードを読み取ることによってその店舗の在庫として認識し、一方、商品販売時にバーコードリーダでそのバーコードを読み取ることによって販売されたことを認識でき、それにより在庫管理などを効率的に行えるものである。しかるに、ＰＯＳシステムにおいては、販売店側でその商品を特定する固有な情報（商品情報）として、例えば商品管理番号等を入力する必要がある。
【０００７】
これに対し、例えばライトワンス・メモリなどの記憶媒体の場合、それに固有な情報（固有情報）が、特定の記憶領域に記憶されているのが一般的である。かかる固有情報は、例えばロット番号としてメーカーの管理のために用いられることが多い。ところが、一つの商品に対して複数の固有情報を付することは、単にメモリ領域を多く使用するなどのデメリットがあるだけで特にメリットがなく不合理である。そこで、例えば商品情報を固有情報を含むように決定することが考えられる。かかる場合、販売店側で、記憶媒体の固有の情報を読み出す作業が必要になる。
【０００８】
しかしながら、ライトワンス・メモリを含む一般的な記憶媒体は、ゴミ等の付着を防止し且つ見栄えを良くするために、メーカー出荷時にパッケージに包装されるのが一般的である。従って、販売店において、わざわざパッケージを破ってライトワンス・メモリを取り出し、カードリーダに差し込んで、その固有情報を読み出すということは理論的には可能であるが、実用上不可能といえる。
【０００９】
本発明は、かかる従来技術の問題点に鑑みてなされたものであり、例えば商品管理番号に固有情報を含めることなどを容易に行える記憶媒体の固有情報の表示方法、記憶媒体及び記憶媒体のパッケージを提供することを目的とする。
【００１０】
【課題を解決するための手段】
上述の目的を達成すべく、第１の発明の記憶媒体の固有情報の表示方法は、提供されたユーザーが任意の情報を書き込み可能となっている記憶媒体の固有情報の表示方法であって、前記記憶媒体内に予め記憶されている固有情報を、外部から視覚を通じて判読可能なように前記記憶媒体に表示するので、メーカーより出荷された前記記憶媒体に表示された固有情報を見た販売店では、例えばかかる固有情報を含めるように商品情報を設定することで、以下のごとき利益を享受できる。
【００１１】
例えばライトワンス・メモリの特定のロットに不良が発生したような場合、商品情報に固有情報を含んでいれば、商品情報から不良品と良品とを判別でき、不良品のみを回収する手間が省ける。又、その商品が盗難にあったような場合、商品情報が固有情報を含んでいれば、盗難リストに載せることができ、例えば盗難されたライトワンス・メモリをラボ等に持参して、そこに記憶された画像情報に基づいて画像プリントを依頼したようなときに、盗難リストに基づいて犯人を割り出すようなこともできる。
【００１２】
更に、撮影回数を限定したレンタル専用の電子カメラにおいて、未使用のライトワンス・メモリをセット販売する場合、かかる電子カメラにその商品情報を登録すれば、電子カメラ内のソフトにより、セット販売したライトワンス・メモリ以外のメモリを使用できなくすることができ、それにより電子カメラの無制限な使用を制限し、回収を促すこともできる。尚、「提供されたユーザーが任意の情報を書き込み可能となっている記憶媒体」とは、画像情報等の記憶に用いるライトワンス・メモリやフラッシュ・メモリの他、磁気テープ、フロッピーディスク、ＭＯ、ＣＤ−Ｒ、ＤＶＤ−Ｒ等を含むが、磁気記憶部などを有するクレジットカードなどは含まないものである。
【００１３】
第２の発明の記憶媒体の固有情報の表示方法は、提供されたユーザーが任意の情報を書き込み可能となっている記憶媒体の固有情報の表示方法であって、前記記憶媒体内に予め記憶されている固有情報を、外部から視覚を通じて判読可能なように前記記憶媒体を収容するパッケージに表示するので、メーカーより出荷された前記記憶媒体のパッケージに表示された固有情報を見た販売店では、例えばかかる固有情報を含めるように商品情報を設定することで、上述した利益を享受できる。尚、パッケージとは、袋や化粧箱など全ての包装体の他、前記記憶媒体に巻き付けたテープなどであってもよい。
【００１４】
更に、前記固有の情報は、印刷により表示されると好ましいが、記憶媒体の表面に刻設しても良いし、印刷したシールを貼り付けても良い。
【００１５】
【発明の実施の形態】
以下、図面を参照して本発明の実施の形態にかかる記憶媒体の固有情報の表示方法を説明する。図１は、提供されたユーザーが任意の情報を書き込み可能となっている記憶媒体であるライトワンス・メモリを含むパッケージの斜視図である。図１において、ライトワンス・メモリ１０の表面には、固有情報１１が印刷されている。固有情報１１は、ここでは８桁の数字であり、パッケージ２０の透明フィルム部２１を介して、外部から視認可能となっている。又、固有情報１１に対応するバイナリデータが、ライトワンス・メモリ１０の特定の記憶領域に記憶されている。尚、固有情報１１は、ライトワンス・メモリ１１の表面に印刷される代わりに、或いはそれに加えて、パッケージ２０の表面に印刷されても良い（図１の２３参照）。
【００１６】
図１に示すライトワンス・メモリ１０がパッケージ２０に封入されてメーカーより出荷された場合、販売店では、このライトワンス・メモリ１０の商品管理番号（商品情報）を、例えば「１２３４５６７８ＡＢＣＤ」というように、固有情報を含めた形で設定できる。図２は、販売店側の作業者が、ＰＯＳデータを入力する際にコンピュータに表示される画面の一例を示す図である。
【００１７】
例えばライトワンス・メモリ１０の特定のロットに不良が発生したような場合、メーカー側より不良品の固有情報が届くため、販売店側では、図１におけるライトワンス・メモリ１０に表示された固有情報１１を見て、良品と不良品とを仕分けし、不良品のみをメーカー側に返送できる。
【００１８】
又、登録したライトワンス・メモリ１０が盗難にあったような場合でも、販売店側で在庫チェックを行うことで、いずれのライトワンス・メモリ１０が盗難にあったか個々に把握できるため、その商品管理番号に含まれた固有情報をラボ等に予め連絡しておけば、例えば記憶された画像情報に基づいて画像プリントを依頼するためにライトワンス・メモリ１０がラボ等に搬送されたようなとき、ラボ等の作業者が、ライトワンス・メモリ１０の固有情報１１を視認した段階で、そのライトワンス・メモリ１０が盗難されたものであることが直ちに分かり、犯人を割り出す手がかりになる。又、ライトワンス・メモリ１０の表面に印刷された固有情報１１が意図的に消されたような場合でも、その特定の領域に記憶された情報はユーザーが勝手に消去できないものであるため、カードリーダなどを用いれば固有情報１１を読み出すことができる。以上をＰＲすることだけでも、盗難の抑制効果が十分にあると考えられる。
【００１９】
更に、撮影回数を限定したレンタル専用の電子カメラにおいて、未使用のライトワンス・メモリ１０をセット販売する場合、かかる電子カメラにその商品管理番号を登録すれば、電子カメラ内のソフトにより、セット販売したライトワンス・メモリ１０以外のメモリを使用できなくすることができ、それにより電子カメラの無制限な使用を制限し、回収を促すこともできる。
【００２０】
以上、本発明を実施の形態を参照して説明してきたが、本発明は上記実施の形態に限定して解釈されるべきではなく、適宜変更・改良が可能であることはもちろんである。例えば、記憶媒体はライトワンス・メモリに限らず、通常のフラッシュ・メモリ等であっても良い。
【００２１】
【発明の効果】
本発明によれば、例えば商品管理番号に固有情報を含めることなどを容易に行える記憶媒体の固有情報の表示方法、記憶媒体及び記憶媒体のパッケージを提供することができる。
【図面の簡単な説明】
【図１】ライトワンス・メモリを含むパッケージの斜視図である。
【図２】ＰＯＳデータを入力する際にコンピュータに表示される画面の一例を示す図である。
【符号の説明】
１０　ライトワンス・メモリ
１１　固有情報
２０　パッケージ
【図１】
2004126423.tif 000003
【図２】
2004126423.tif 000004